(57)【要約】【課題】ヘッドをバランスの良い形状にすることで、構えた時の安心感が高まり、ゆっくりとしたリズムを保ち安定したパッティングをすることができ、ミスヒット時においてもフェースのブレが少なく方向性と距離感を安定させることができるゴルフパターのヘッドを提供する。【解決手段】フェース面２０では、右側フェース面２０ａと左側フェース面２０ｂが左右対称となるように形成されており、バックフェース面３０では、右側バックフェース面３０ａと左側バックフェース面３０ｂが左右対称となるように形成されており、ヒール面４０では、右側ヒール面４０ａと左側ヒール面４０ｂが左右対称となるように形成されており、トウ面５０では、右側トウ面５０ａと左側トウ面５０ｂが左右対称となるように形成されている。【選択図】図２
0003201928.tif 000002
【実用新案登録請求の範囲】
【請求項１】
フェース面、前記フェース面と同一形状のバックフェース面、ヒール面、前記ヒール面と同一形状のトウ面、ソール面、及びトップ面からなる６面体で形成されたゴルフパターのヘッドであって、
前記フェース面は、前記ソール面から前記トップ面の方向の第１の中心線を境にして、一方を右側フェース面とし他方を左側フェース面として、前記右側フェース面と前記左側フェース面が、左右対称に形成され、
前記バックフェース面は、前記ソール面から前記トップ面の方向の第２の中心線を境にして、一方を右側バックフェース面とし他方を左側バックフェース面として、前記右側バックフェース面と前記左側バックフェース面が、左右対称に形成され、
前記ヒール面は、前記ソール面から前記トップ面の方向の第３の中心線を境にして、一方を右側ヒール面とし他方を左側ヒール面として、前記右側ヒール面と前記左側ヒール面が、左右対称に形成され、
前記トウ面は、前記ソール面から前記トップ面の方向の第４の中心線を境にして、一方を右側トウ面とし他方を左側トウ面として、前記右側トウ面と前記左側トウ面が、左右対称に形成されていることを特徴とするゴルフパターのヘッド。
【請求項２】
前記ソール面は、前記フェース面から前記バックフェース面の方向の第５の中心線を境にして、一方を右側ソール面とし他方を左側ソール面として、前記右側ソール面と前記左側ソール面が、左右対称に形成され、
前記トップ面は、前記ヒール面から前記トウ面の方向の第６の中心線を境にして、一方を右側トップ面とし他方を左側トップ面として、前記右側トップ面と前記左側トップ面が、左右対称に形成されていることを特徴とする請求項１に記載のゴルフパターのヘッド。
【請求項３】
前記ソール面は、前記フェース面から前記バックフェース面の方向の第５の中心線を境にして、一方を右側ソール面とし他方を左側ソール面として、前記右側ソール面と前記左側ソール面が、左右対称に形成され、
前記トップ面には、ネックが設けられていることを特徴とする請求項１に記載のゴルフパターのヘッド。
【請求項４】
前記６面体は、前記ヒール面から前記トウ面の方向の中央断面を境にして、一方の部分を右側ヘッドとし他方の部分を左側ヘッドとして、前記右側ヘッドが、前記ソール面から前記トップ面を貫通するように設けられた第１の空洞を有し、前記左側ヘッドが、前記ソール面から前記トップ面を貫通するように設けられた第２の空洞を有することを特徴とする請求項１から請求項３のいずれか１項に記載のゴルフパターのヘッド。
【請求項５】
前記右側ヘッドに設けられた前記第１の空洞と、前記左側ヘッドに設けられた前記第２の空洞は、同じ形状で形成されていることを特徴とする請求項４に記載のゴルフパターのヘッド。
【考案の詳細な説明】
【技術分野】
【０００１】
本考案は、ゴルフパターのヘッドに関する。
【背景技術】
【０００２】
ゴルフのプレーにおいて、ゴルフパターが用いられており、特にゴルフパターのヘッドにおいては、多種の形状のものが普及している。
【考案の概要】
【考案が解決しようとする課題】
【０００３】
上記のとおりゴルフパターのヘッドは、多種な形状のものが使用されているが、より安定したパッティングのできるゴルフパターのヘッドの開発が求められている。
【０００４】
そこで本考案は、このような課題を解決するためになされたもので、ヘッドをバランスの良い形状にすることで、構えた時の安心感が高まり、ゆっくりとしたリズムを保ち安定したパッティングをすることができ、ミスヒット時においても、フェースのブレが少なく方向性と距離感を安定させることができるゴルフパターのヘッドを提供することを目的とする。
【課題を解決するための手段】
【０００５】
上記課題を解決するために、本考案に係るゴルフパターのヘッドは、フェース面、前記フェース面と同一形状のバックフェース面、ヒール面、前記ヒール面と同一形状のトウ面、ソール面、及びトップ面からなる６面体で形成されたゴルフパターのヘッドであって、前記フェース面は、前記ソール面から前記トップ面の方向の第１の中心線を境にして、一方を右側フェース面とし他方を左側フェース面として、前記右側フェース面と前記左側フェース面が、左右対称に形成され、前記バックフェース面は、前記ソール面から前記トップ面の方向の第２の中心線を境にして、一方を右側バックフェース面とし他方を左側バックフェース面として、前記右側バックフェース面と前記左側バックフェース面が、左右対称に形成され、前記ヒール面は、前記ソール面から前記トップ面の方向の第３の中心線を境にして、一方を右側ヒール面とし他方を左側ヒール面として、前記右側ヒール面と前記左側ヒール面が、左右対称に形成され、前記トウ面は、前記ソール面から前記トップ面の方向の第４の中心線を境にして、一方を右側トウ面とし他方を左側トウ面として、前記右側トウ面と前記左側トウ面が、左右対称に形成されていることを特徴とする。
【０００６】
本考案に係るゴルフパターのヘッドの態様について、前記ソール面は、前記フェース面から前記バックフェース面の方向の第５の中心線を境にして、一方を右側ソール面とし他方を左側ソール面として、前記右側ソール面と前記左側ソール面が、左右対称に形成され、前記トップ面は、前記ヒール面から前記トウ面の方向の第６の中心線を境にして、一方を右側トップ面とし他方を左側トップ面として、前記右側トップ面と前記左側トップ面が、左右対称に形成されていることが好ましい。
【０００７】
本考案に係るゴルフパターのヘッドの態様について、前記ソール面は、前記フェース面から前記バックフェース面の方向の第５の中心線を境にして、一方を右側ソール面とし他方を左側ソール面として、前記右側ソール面と前記左側ソール面が、左右対称に形成され、前記トップ面には、ネックが設けられていることが好ましい。
【０００８】
本考案に係るゴルフパターのヘッドの態様について、前記６面体は、前記ヒール面から前記トウ面の方向の中央断面を境にして、一方の部分を右側ヘッドとし他方の部分を左側ヘッドとして、前記右側ヘッドが、前記ソール面から前記トップ面を貫通するように設けられた第１の空洞を有し、前記左側ヘッドが、前記ソール面から前記トップ面を貫通するように設けられた第２の空洞を有することが好ましい。
【０００９】
本考案に係るゴルフパターのヘッドの態様について、前記右側ヘッドに設けられた前記第１の空洞と、前記左側ヘッドに設けられた前記第２の空洞は、同じ形状で形成されていることが好ましい。
【考案の効果】
【００１０】
本考案のゴルフパターのヘッドによれば、ヘッドをバランスの良い形状にすることで、構えた時の安心感が高まり、ゆっくりとしたリズムを保ち安定したパッティングをすることができるゴルフパターのヘッドを提供することができ、また、ヘッドの６面を慣性の高いバランスのとれた構造とし、ミスヒット時でも、フェースのブレが少なく方向性と距離感を安定させ、ゴルフボールのヒット時のヒッティングロフトを一定となるようにし、振り幅に対して距離の誤差がなく、これらの相乗効果によりターゲットに対して正確にヒットすることが可能なゴルフパターのヘッドを提供することができる。
【図面の簡単な説明】
【００１１】
【図１】実施形態のゴルフパターのヘッドを示す模式的な斜視図である。
【図２】実施形態のヘッドの各面を説明する模式図である。
【図３】実施形態のヘッドの空洞を説明する模式図である。
【図４】実施形態のゴルフパターのヘッドの他の例を示す模式的な斜視図である。
【考案を実施するための形態】
【００１２】
以下、本考案のゴルフパターのヘッドの実施形態を図１から図４を用いて説明する。
【００１３】
図１に示すように、ゴルフパターのヘッド１０は、フェース面２０、フェース面２０と同一形状のバックフェース面３０、ヒール面４０、ヒール面４０と同一形状のトウ面５０、ソール面６０、及びトップ面７０からなる６面体で形成されており、以下、図２及び図３を用いて、ゴルフパターのヘッド１０について説明する。
【００１４】
図２(ａ)に示すように、ゴルフパターのヘッド１０のフェース面２０は、ソール面６０からトップ面７０の方向の第１の中心線Ａ−Ａを境にして、一方が右側フェース面２０ａであり、他方が左側フェース面２０ｂとすると、右側フェース面２０ａと左側フェース面２０ｂは、左右対称となるように形成されている。
【００１５】
図２（ｂ）に示すように、バックフェース面３０は、ソール面６０からトップ面７０の方向の第２の中心線Ｂ−Ｂを境にして、一方が右側バックフェース面３０ａであり、他方が左側バックフェース面３０ｂとすると、右側バックフェース面３０ａと左側バックフェース面３０ｂは、左右対称となるように形成されている。
【００１６】
図２（ｃ）に示すように、ヒール面４０は、ソール面６０からトップ面７０の方向の第３の中心線Ｃ−Ｃを境にして、一方が右側ヒール面４０ａであり、他方が左側ヒール面４０ｂとすると、右側ヒール面４０ａと左側ヒール面４０ｂは、左右対称となるように形成されている。
【００１７】
図２（ｄ）に示すように、トウ面５０は、ソール面６０からトップ面７０の方向の第４の中心線Ｄ−Ｄを境にして、一方が右側トウ面５０ａであり、他方を左側トウ面５０ｂとすると、右側トウ面５０ａと左側トウ面５０ｂが、左右対称となるように形成されている。
【００１８】
図３(ａ)に示すように、ソール面６０は、フェース面２０からバックフェース面３０の方向の第５の中心線Ｅ−Ｅを境にして、一方が右側ソール面６０ａであり、他方を左側ソール面６０ｂとすると、右側ソール面６０ａと左側ソール面６０ｂが、左右対称となるように形成されている。
【００１９】
また、図３（ｂ）に示すように、また、トップ面７０は、ヒール面４０からトウ面５０の方向の第６の中心線Ｆ−Ｆを境にして、一方が右側トップ面７０ａであり、他方を左側トップ面７０ｂとすると、右側トップ面７０ａと左側トップ面７０ｂが、左右対称となるように形成されている。
【００２０】
上記のような構成を有するゴルフパターのヘッド１０は、各面が左右対称となるように形成され、バランスの良いものとなっており、構えた時の安心感が高まり、無理な力を入れることなく自然なストロークができるように考えられている。
【００２１】
すなわち、上記の効果で説明したとおり、実施形態のゴルフパターのヘッド１０においては、ヘッドの６面を慣性の高いバランスのとれたヘッド構造とし、ミスヒット時でも、フェースのブレが少なく方向性と距離感が安定し、ゴルフボールのヒット時のヒッティングロフトを一定となるようにし、振り幅に対して距離の誤差がなく、これらの相乗効果によりターゲットに正確にヒットすることを可能としている。
【００２２】
また、図４に示すように実施形態のゴルフパターのヘッドは、トップ面に、ネック１００が設けられている構成であってもよい。
【００２３】
次に、実施形態のゴルフパターのヘッド１０は、ヘッド１０にトップ面７０からソール面６０に向かって空洞を設けた構成であってもよく、図３を用いて説明する。
【００２４】
上述のとおりヘッド１０は、６面体で形成されており、ヒール面４０からトウ面５０の方向の図３に示す中央断面Ｘ−Ｘを境にして、一方の部分を右側ヘッド８０とし他方の部分を左側ヘッド９０として、右側ヘッド８０が、ソール面６０からトップ面７０を貫通するように設けられた第１の空洞８０ａを有する構成としてもよく、また、左側ヘッド９０が、ソール面６０からトップ面７０を貫通するように設けられた第２の空洞９０ａを有する構成としてもよい。
【００２５】
また、上記の右側ヘッド８０に設けられた第１の空洞８０ａと、左側ヘッド９０に設けられた第２の空洞９０ａは、同じ形状で形成されていることが望ましい。
【００２６】
実施形態においてヘッド１０に、上記のような空洞８０ａ及び空洞９０ａを設けることにより、パッティング時の音が快音となり耳に伝わり、ミスヒット時には、音の微妙な違いが耳で判断できる為に、正確なセンターヒットを心掛けることができる。
【００２７】
以上が実施形態の説明であるが、実施形態では、右利き用のゴルフパターのヘッド１０を例として、フェース面２０が、ヒール面４０からトウ面５０の方向の左側に設けられており、そしてバックフェース面３０は、ヒール面４０からトウ面５０の方向の右側に設けられている構成である。
【００２８】
一方、ゴルフパターのヘッド１０は、上記の特徴を有する左利き用としてもよく、この場合、フェース面２０は、ヒール面４０からトウ面５０の方向の右側に設けられており、そして、バックフェース面３０は、ヒール面４０からトウ面５０の方向の左側に設けられている構成となる。
【００２９】
右利き用と左利き用のゴルフパターのヘッドの違いは、フェース面とバックフェース面の配置が入れ替わっているのみであり、特徴を有する構成は同じであることより、左利き用のゴルフパターのヘッドの説明は省略する。
【００３０】
上記のような特徴を有する本考案のゴルフパターのヘッドは、慣性の高いバランスの良い形状を有しており、ミスセンターヒット時にも、フェースのブレが少なく、方向性と距離感が保たれ、スコアーの向上を図ることができ、ゴルフのプレーをより楽しいものとすることができるものである。
【００３１】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３２】
また、ゴルフパターのヘッドの大きさや形状、素材の厚さ、重さなどについては多様な実施形態が可能であり、それらについて本実施形態と異なる形態による実施は、本考案の技術的範囲に含まれる。
【符号の説明】
【００３３】
１０    ゴルフパターのヘッド
２０    フェース面
２０ａ  右側フェース面
２０ｂ  左側フェース面
３０    バックフェース面
３０ａ  右側バックフェース面
３０ｂ  左側バックフェース面
４０    ヒール面
４０ａ  右側ヒール面
４０ｂ  左側ヒール面
５０    トウ面
５０ａ  右側トウ面
５０ｂ  左側トウ面
６０    ソール面
６０ａ  右側ソール面
６０ｂ  左側ソール面
７０    トップ面
７０ａ  右側トップ面
７０ｂ  左側トップ面
８０    右側ヘッド
８０ａ  第１の空洞
９０    左側ヘッド
９０ａ  第２の空洞
１００    ネック
Ａ−Ａ線  第１の中心線
Ｂ−Ｂ線  第２の中心線
Ｃ−Ｃ線  第３の中心線
Ｄ−Ｄ線  第４の中心線
Ｅ−Ｅ線  第５の中心線
Ｆ−Ｆ線  第６の中心線
Ｘ−Ｘ線  中央断面
【図１】
0003201928.tif 000003
【図２】
0003201928.tif 000004
【図３】
0003201928.tif 000005
【図４】
0003201928.tif 000006